(57)【要約】【課題】煩雑な操作を行う必要なく、撮影時に簡単かつ確実に撮影データと個人データとを関連付けて登録できるようにする。【解決手段】携帯通信装置１００は、カメラ部６を使用して撮影を行った際に、データ通信部１２により通信相手機器と通信を行って、その通信相手機器で保持されている個人データを取得する。取得した個人データは、カメラ部６による撮影データとともに表示部８に表示される。ユーザが所定の登録操作を行うことにより、取得した個人データを撮影データと関連付けてメモリ２に記憶する。【選択図】図１
2012204903.tif 000002
【特許請求の範囲】
【請求項１】
撮影手段と、通信相手機器との間で所定の通信機能により通信を行う通信手段と、前記撮影手段で撮影した撮影データおよび前記通信手段により取得した通信データを記憶する記憶手段と、を備えた携帯通信装置であって、
前記撮影手段を使用して撮影を行った際に、前記通信手段により通信相手機器と通信を行って、前記通信相手機器で保持されている個人データを前記通信データとして取得し、該取得した前記個人データを前記撮影手段で撮影した撮影データと関連付けて前記記憶手段に記憶することを特徴とする携帯通信装置。
【請求項２】
請求項１に記載の携帯通信装置において、
表示手段と、ユーザによる操作入力を受け付ける操作入力手段とを有し、
前記表示手段は、前記撮影手段が撮影した撮影データと、前記通信相手機器から取得した前記個人データとを同時に表示し、
前記記憶手段は、前記操作入力手段に対する所定の操作入力に従って、前記表示部に同時に表示した前記撮影データと前記個人データとを関連付けて記憶することを特徴とする携帯通信装置。
【請求項３】
請求項１または２に記載の携帯通信装置において、
前記通信手段は、前記通信相手機器と通信を行う場合、前記携帯通信装置が有する通信機能の全てを順に使用して、個人データの取得が可能な通信機能があるか否かを判断し、該個人データの取得が可能な通信機能があった場合、当該通信機能を使用して前記個人データを取得することを特徴とする携帯通信装置。
【請求項４】
請求項１または２に記載の携帯通信装置において、
前記通信手段は、前記通信相手機器と通信を行う場合、前記操作入力手段による所定の操作入力に従って、前記携帯通信装置が有する通信機能の中から特定の通信機能を選択し、該選択した通信機能を使用して前記個人データを取得すること特徴とする携帯通信装置。
【請求項５】
請求項１〜４のいずれか１の携帯通信装置と、該携帯通信装置と通信を行う通信相手機器からなる通信システムであって、
前記通信相手機器は、前記携帯通信装置と通信するための通信手段と、特定の個人データを記憶する記憶手段とを有し、前記携帯通信装置からの個人データの送信要求に従って、前記記憶手段に記憶した個人データを前記携帯通信装置に送信することを特徴とする通信システム。
【発明の詳細な説明】
【技術分野】
【０００１】
本発明は、携帯通信装置および通信システム、より詳細には、カメラ機能と通信機能とを備え、カメラ機能により撮影した撮影データを、個人データとともに登録できるようにした携帯通信装置と、その携帯通信装置と通信相手機器からなる通信システムに関する。
【背景技術】
【０００２】
携帯電話等の通信装置には、カメラ機能を備えたものが普及している。カメラ機能を用いて撮影された撮影データは、内蔵メモリ等に登録して保持しておくことができる。
一方、人の名前やアドレスなどの個人情報に係るデータ（個人データ）は、通信装置が有するアドレス帳機能等を利用して登録管理しておくことができる。
【０００３】
このような撮影データと個人データの管理技術に関し、例えば、特許文献１には、携帯通信端末のカメラ機能を利用して撮影した画像と通信相手との関連付けを容易にできるとともに、撮影された画像の管理を容易にすることを目的とした携帯通信端末が開示されている。
この携帯通信端末は、電話帳を記憶する記憶手段と、通信相手を特定するための特定手段と、被写体を撮影する撮影手段と、情報を出力する出力手段とを有し、特定手段により通信相手が特定された状態にて撮影手段を起動させ、撮影された画像をその通信相手に関連付けて電話帳に登録する。ここでは、発信番号表示機能による発信番号データや通信相手からの着信履歴データを利用し、カメラで撮影した映像と関連付けて登録している。
【０００４】
また、特許文献２には、撮影部で撮影した画像データを編集中のアドレス帳データに直接関連付けさせるようにした通信機能付き撮影装置が開示されている。この通信機能付き撮影装置は、アドレス帳データをメイン表示部に表示し、ユーザがこのデータの中から任意のデータを選択した後、撮影部を起動して画像を撮ると、選択したデータに撮影データが関連付けられて画像メモリに登録される。
【先行技術文献】
【特許文献】
【０００５】
【特許文献１】特開２００５−１７６２０８号公報
【特許文献２】特開２００４−３３６７１１号公報
【発明の概要】
【発明が解決しようとする課題】
【０００６】
カメラにより撮影した撮影データと、個人データとを関連付けて登録する場合、通常、それぞれのデータを個別に入力もしくは取得し、後からそれぞれの撮影データと個人データとを関連付ける操作を行う必要があり、操作が煩雑であった。また、携帯通信装置における個人データの登録数の増加や、例えばＵＲＬや各種アドレス等の個人データの種類の増大等に伴ってさらに煩雑な操作が必要となっている。
【０００７】
特許文献１の技術では、発信番号表示機能による発信番号データや通信相手からの着信履歴データを利用し、カメラで撮影した映像と関連付けて登録しているが、例えば、メールアドレスやＵＲＬなど、手入力では間違いを発生させる可能性がある個人データを撮影時に一括して取得することはできない。
また、特許文献２の技術では、既に取得したアドレス帳データに、撮影部で撮影した画像データを関連付けているが、アドレス等の個人データを取得していなくても、カメラの撮影時に個人データを取得できるか否かを確認し、取得可能であればその個人データを取得して、撮影データと関連付けて登録することはできない。
【０００８】
本発明は、上述のごとき実情に鑑みてなされたもので、撮影手段により撮影を行う際に、通信相手機器から個人データを取得できるようにすることで、煩雑な操作を行う必要なく、撮影時に簡単かつ確実に撮影データと個人データとを関連付けて登録できるようにした携帯通信装置と、該携帯通信装置および通信相手機器からなる通信システムとを提供することを目的とするものである。
【課題を解決するための手段】
【０００９】
上記課題を解決するために、本発明の第１の技術手段は、撮影手段と、通信相手機器との間で所定の通信機能により通信を行う通信手段と、前記撮影手段で撮影した撮影データおよび前記通信手段により取得した通信データを記憶する記憶手段と、を備えた携帯通信装置であって、前記撮影手段を使用して撮影を行った際に、前記通信手段により通信相手機器と通信を行って、前記通信相手機器で保持されている個人データを前記通信データとして取得し、該取得した前記個人データを前記撮影手段で撮影した撮影データと関連付けて前記記憶手段に記憶することを特徴としたものである。
【００１０】
第２技術手段は、第１の技術手段において、表示手段と、ユーザによる操作入力を受け付ける操作入力手段とを有し、前記表示手段は、前記撮影手段が撮影した撮影データと、前記通信相手機器から取得した前記個人データとを同時に表示し、前記記憶手段は、前記操作入力手段に対する所定の操作入力に従って、前記表示部に同時に表示した前記撮影データと前記個人データとを関連付けて記憶することを特徴としたものである。
【００１１】
第３の技術手段は、第１または第２の技術手段において、前記通信手段は、前記通信相手機器と通信を行う場合、前記携帯通信装置が有する通信機能の全てを順に使用して、個人データの取得が可能な通信機能があるか否かを判断し、該個人データの取得が可能な通信機能があった場合、当該通信機能を使用して前記個人データを取得することを特徴としたものである。
【００１２】
第４の技術手段は、第１または第２の技術手段において、前記通信手段は、前記通信相手機器と通信を行う場合、前記操作入力手段による所定の操作入力に従って、前記携帯通信装置が有する通信機能の中から特定の通信機能を選択し、該選択した通信機能を使用して前記個人データを取得すること特徴としたものである。
【００１３】
第５の技術手段は、第１〜第４のいずれか１の技術手段の携帯通信装置と、該携帯通信装置と通信を行う通信相手機器からなる通信システムであって、前記通信相手機器は、前記携帯通信装置と通信するための通信手段と、特定の個人データを記憶する記憶手段とを有し、前記携帯通信装置からの個人データの送信要求に従って、前記記憶手段に記憶した個人データを前記携帯通信装置に送信することを特徴としたものである。
【発明の効果】
【００１４】
本発明によれば、撮影手段により撮影を行う際に、通信相手機器から個人データを取得できるようにすることで、煩雑な操作を行う必要なく、撮影時に簡単かつ確実に撮影データと個人データとを関連付けて登録できるようにした携帯通信装置と、該携帯通信装置および通信相手機器からなる通信システムとを提供することができる。
【図面の簡単な説明】
【００１５】
【図１】本発明に係る携帯通信装置の構成例を説明するためのブロック図である。
【図２】本発明に係る携帯通信装置の機能を説明するための図である。
【図３】本発明に係る携帯通信装置で、相手の撮影データと個人データとを関連付けて記憶するときの画面例を示す図である。
【図４】本発明に係る携帯通信装置のデータ登録処理の一例を説明するためのフローチャートである。
【図５】本発明に係る携帯通信装置のデータ登録処理の他の例を説明するためのフローチャートである。
【発明を実施するための形態】
【００１６】
図１は、本発明に係る携帯通信装置の構成例を説明するためのブロック図である。カメラ部６は、人の顔などの撮影を行う撮影手段である。カメラ部６は、カメラによる撮影を行うための図示しないシャッターボタンを含む。カメラ制御部５は、カメラ部６の制御を行う。また、表示部８は、液晶パネルなどを用いた表示手段である。表示制御部７は、表示部８の表示を制御する。例えば、カメラ部６で撮影された撮影データや、データ通信部１２が取得した通信データなどを表示用にレイアウトして表示部８に表示させる。
入力部１０は、ユーザからの操作入力を受け付ける操作入力手段で、表示部８とともにタッチパネルとして構成される。また、入力部１０は、キーやボタンなどを用いた操作入力手段であってもよい。入力解析部は、タッチパネル等の入力部１０に対する操作入力を解析し、ＣＰＵ３に伝える。
【００１７】
データ通信部１２は、赤外線通信、ブルートゥース通信、フェリカ（FeliCa（登録商標））による通信（非接触ＩＣカードによる通信）、ＷＬＡＮ（Wireless LAN）による通信等を行う通信モジュールにより構成される通信手段である。データ通信制御部１１は、データ通信部１２の通信モジュールを制御する。
音声処理部１３は、音声入出力処理を行うもので、音声出力のためのスピーカ１４と、音声入力のためのマイク１５とが接続される。
【００１８】
アンテナ１６は、携帯電話機能による音声通信・データ通信用のアンテナであり、無線部１は、アンテナ１６を介した無線通信処理を行う。制御部４は、携帯電話機能による動作を制御する。また、ＣＰＵ３は、上記のカメラ制御部５、表示制御部７、入力解析部９、データ通信制御部１１等の動作を制御する。メモリ２は、カメラ部６が撮影した撮影データや、データ通信部１２が取得した個人データ等を記憶する。
【００１９】
図２は、本発明に係る携帯通信装置の機能を説明するための図である。まず、図２に示すように、登録対象の相手３００が、その相手３００に係る個人データを予め登録した携帯機器２００を持っているものとする。携帯機器２００は、本発明の通信相手機器に想到するものである。この携帯機器２００には、相手３００の名前、電話番号、メールアドレス、Ｗｅｂアドレス（ＵＲＬ）などの個人データが予め記憶され、赤外線通信、ブルートゥース通信、フェリカによる通信、ＷＬＡＮによる通信等により上記個人データの送信が可能な状態になっている。
【００２０】
本発明に係る携帯通信装置１００を使用するユーザは、携帯通信装置１００のカメラ部６の撮影機能を用いて、相手３００を撮影する。そして、その際に、相手３００が持っている携帯機器２００と、ユーザ自身が持っている携帯通信装置１００との間で通信を行い、相手３００の携帯機器２００に予め保持されている個人データを携帯通信装置１００に取得する。そして相手３００の撮影データと個人データとを関連付けてメモリ２に記憶する。これにより、相手３００の撮影時に簡単に個人データを取得し、撮影データを関連付けて登録することができる。
【００２１】
図３は、本発明に係る携帯通信装置で、相手の撮影データと個人データとを関連付けて記憶するときの画面例を示す図である。
まず、図３（Ａ）に示すように、ユーザは、携帯通信装置１００をカメラ撮影モードにし、シャッター６１を押して相手３００を撮影する。このとき携帯通信装置１００の表示部８には、撮影された相手３００の撮影データ８１が表示される。そして、携帯通信装置１００は、相手３００が持っている携帯機器２００と通信を行い、携帯機器２００に予め保持されている個人データを入手可能か否か確認する。この場合、例えば携帯通信装置１００から携帯機器２００に対して、個人データが送信可能か否かを問い合わせ、その問い合わせに対して携帯機器２００が返答を返信する。
【００２２】
このときに、携帯通信装置１００の表示部８には、例えば「データ取得確認中」などのテキスト８２が表示され、携帯機器２００から個人データが取得できるか否かを確認中であることをユーザに知らせる。
【００２３】
携帯機器２００の個人データが取得可能である場合、携帯通信装置１００は、携帯機器２００から個人データを通信により取得し、取得した個人データ８３を表示部８に表示させる（図３（Ｂ））。
このとき、個人データ８３は、相手３００の撮影データ８１とともに表示され、ユーザは、同時にこれらの内容を画面上で確認することができる。そして表示部８には、相手３００の撮影データ８１と、携帯機器２００から取得した個人データ８３とを関連付けて登録するための登録ボタン８４が表示される。ユーザが登録ボタン８４をタッチパネルにより操作すると、表示部８に表示されている撮影データ８１および個人データ８３が関連付けられて、メモリ２に登録される。
【００２４】
このように、本発明に係る携帯通信装置の実施形態では、カメラ部６の機能を用いて撮影した相手の画像データと、データ通信部１２の機能を用いてデータ通信により取得した個人データとを関連付けて登録しておくことができる。このとき、登録した撮影データに対して、後から個人データを関連付けて登録し直すような操作が不必要となり、簡単な操作でデータ登録が可能となる。また、登録された個人データは、相手の顔などの撮影データに関連付けられているため、ユーザが相手の顔などを思い出せないときにも、これらのデータをメモリ２から読み出して表示させることにより、容易に相手を想起することができる。
【００２５】
また、個人データに含むことができるメールアドレスやＵＲＬなどは、手入力では間違いが生じる可能性があるが、本発明に係る携帯通信装置によれば、相手の撮影時に相手の携帯機器２００から確実に個人データを取得することができる。また、TwitterのアカウントやＳＮＳ（Social Network Service）アドレスなど、個人データの種類は増大しており、これらの個人データも相手の撮影時に携帯機器２００から容易に取得することができる。
【００２６】
図４は、本発明に係る携帯通信装置のデータ登録処理例を説明するためのフローチャートで、相手の携帯機器から自動で個人データを取得するときの処理の一例を示すものである。まず、本発明に係る携帯通信装置１００にて、カメラ撮影モードになっているか否かを判別する（ステップＳ１）。カメラ撮影モードは、携帯通信装置１００が備える幾つかのモードの１つで、所定のユーザ操作によりカメラ撮影モードに移行することができる。カメラ撮影モードでは、カメラ部６による撮影が可能で、カメラ部６を通した画像が表示部８に表示されている状態である。
【００２７】
携帯通信装置１００がカメラ撮影モードであるとき、さらにユーザによりシャッターが押下されると（ステップＳ２）、撮影データを保存すべきか否かを判別する（ステップＳ３）。撮影データを保存すべきか否かは、所定のユーザ操作に従って予め定められているものであってもよく、あるいはシャッターを押下するごとに、ユーザ操作に従って保存するか否かを決定するものであってもよい。
【００２８】
撮像データを保存すべきでなければ、そのまま処理を終了する。なお、次の撮影を行う場合には、再度ステップＳ１からの処理を実行する。また、撮影データを保存すべきであれば、携帯通信装置１００は相手の携帯機器２００と通信し、携帯機器２００に予め保持されている相手の個人データが取得可能か否かを判断する（ステップＳ４）。この場合、本例では、相手の携帯機器からの個人データの取得を自動で実施する。ここで携帯通信装置１００は、自身が備える全ての種類の通信機能について順に通信を試みる。例えば、携帯通信装置１００が、赤外線通信、ブルートゥース通信、フェリカによる通信、ＷＬＡＮによる通信機能を有していれば、これらの通信機能を順に使用して携帯機器２００との通信を試みる。携帯機器２００がこれらの通信機能のいずれかに対応し、かつ、予め保持している個人データが送信可能であればその旨の返信がなされる。携帯通信装置１００では、携帯機器２００からの返信によって、携帯機器２００から個人データが取得可能か否かを判断することができる。
【００２９】
携帯機器２００からの個人データの取得が可能ではない場合、つまり、携帯機器２００との通信ができなかった場合、あるいは携帯機器２００からの返信により個人データの取得ができないものと判断した場合、携帯通信装置１００は、個人データの取得処理を行わずに、撮影データのみを保存して（ステップＳ７）、処理を終了する。
【００３０】
一方、携帯機器２００から個人データが取得可能である場合には、携帯通信装置１００は、携帯機器２００から通信により個人データを取得する（ステップＳ５）。そして撮影データと個人データとを関連付けてメモリ２に登録し（ステップＳ６）、処理を終了する。
【００３１】
図５は、本発明に係る携帯通信装置のデータ登録処理例を説明するためのフローチャートで、通信機能を指定して相手の携帯機器から個人データを取得するときの処理の他の例を示すものである。
まず、本発明に係る携帯通信装置にて、カメラ撮影モードになっているか否かを判別する（ステップＳ１１）。カメラ撮影モードは、携帯通信装置が備える幾つかのモードの１つで、所定のユーザ操作によりカメラ撮影モードに移行することができる。カメラ撮影モードでは、カメラ部６による撮影が可能で、カメラ部６を通した画像が表示部８に表示されている状態である。
【００３２】
携帯通信装置がカメラ撮影モードであるとき、さらにユーザによりシャッターが押下されると（ステップＳ１２）、撮影データを保存すべきか否かを判別する（ステップＳ１３）。撮影データを保存すべきか否かは、所定のユーザ操作に従って予め定められているものであってもよく、あるいはシャッターを押下するごとに、ユーザ操作に従って保存するか否かを決定するものであってもよい。
【００３３】
撮像データを保存すべきでなければ、そのまま処理を終了する。なお、次の撮影を行う場合には、再度ステップＳ１１からの処理を実行する。また、撮影データを保存すべきであれば、相手の携帯機器２００との通信を試みる通信機能が指定されたか否かを判別する（ステップＳ１４）。携帯通信装置１００は、相手の携帯機器２００との通信を行うときに、自機が有する通信機能を表示部８に提示し、ユーザ操作によって任意の通信機能を選択させることができる。ここで、ユーザにより特定の通信機能が指定されている場合、指定された通信機能を使用して個人データが取得可能か否かを判別する（ステップＳ１５）。ここでは、携帯通信装置１００は、指定された通信機能を使用して相手の携帯機器２００と通信し、携帯機器２００に予め保持されている相手の個人データが取得可能か否かを判断する。携帯機器２００が指定された通信機能に対応し、かつ、予め保持している個人データが送信可能であればその旨の返信がなされる。携帯通信装置１００では、携帯機器２００からの返信によって、携帯機器２００から個人データが取得可能か否かを判断することができる。
【００３４】
携帯機器２００からの個人データの取得が可能ではない場合、つまり、携帯機器２００との通信ができなかった場合、あるいは携帯機器２００からの返信により個人データの取得ができないものと判断した場合、個人データの取得処理を行わずに、撮影データのみを保存して（ステップＳ１９）、処理を終了する。
【００３５】
一方、ステップＳ１５で携帯機器２００から個人データが取得可能である場合には、携帯通信装置１００は、携帯機器２００から通信により個人データを取得する（ステップＳ１６）。そして撮影データと個人データとを関連付けてメモリ２に登録し（ステップＳ１７）、処理を終了する。
【００３６】
また、上記ステップＳ１４で特定の通信機能が指定されていなければ、携帯通信装置１００が備えている全ての通信機能を順に使用して、携帯機器２００から個人データが取得可能か否かを判断する。例えば、携帯通信装置１００が、赤外線通信、ブルートゥース通信、フェリカによる通信、ＷＬＡＮによる通信の機能を有していれば、これらの機能を順に使用して携帯機器２００との通信を試みる。携帯機器２００がこれらの通信機能のいずれかに対応し、かつ、予め保持している個人データが送信可能であればその旨の返信がなされる。携帯通信装置１００では、携帯機器２００からの返信によって、携帯機器２００から個人データが取得可能か否かを判断することができる。
【００３７】
携帯機器２００から個人データが取得可能である場合には、携帯通信装置１００は、携帯機器２００から通信により個人データを取得する（ステップＳ１６）。そして撮影データと個人データとを関連付けてメモリ２に登録し（ステップＳ１７）、処理を終了する。
また、携帯機器２００から個人データが取得できない場合には、個人データの取得処理を行わずに、撮影データのみを保存して（ステップＳ１９）、処理を終了する。
上記の処理により、煩雑な操作を行う必要なく、撮影時に簡単かつ確実に撮影データと個人データとを関連付けて登録することができる。
【００３８】
本発明に係る通信システムの実施形態は、上記の機能を有する携帯通信装置１００と、その携帯通信装置１００と通信を行う通信相手機器（携帯機器２００）からなるものである。ここで携帯機器２００は、携帯通信装置１００と通信するための通信手段と、特定の個人データを記憶する記憶手段とを有し、携帯通信装置１００からの個人データの送信要求に従って、上記の記憶手段に記憶した個人データを携帯通信装置１００に送信する機能を備えている。
【符号の説明】
【００３９】
１…無線部、２…メモリ、３…ＣＰＵ、４…制御部、５…カメラ制御部、６…カメラ部、７…表示制御部、８…表示部、９…入力解析部、１０…入力部、１１…データ通信制御部、１２…データ通信部、１３…音声処理部、１４…スピーカ、１５…マイク、１６…アンテナ、６１…シャッター、８１…撮影データ、８２…テキスト、８３…個人データ、８４…登録ボタン、１００…携帯通信機器、１００…携帯通信装置、２００…携帯機器、３００…相手。
【図１】
2012204903.tif 000003
【図２】
2012204903.tif 000004
【図３】
2012204903.tif 000005
【図４】
2012204903.tif 000006
【図５】
2012204903.tif 000007